(57)【要約】【課題】中古車両においても予想される市場価格に相応した融資が得られ、かつ担保車両の使用収益も得られる金融商品のための担保車両の管理システムを提供。【解決手段】車両を担保として融資を行い、当該担保車両を被融資者に有償貸渡する金融・車両リース事業において、担保車両と、担保車両本体に装着される担保車両搭載制御装置と、該担保車両搭載制御装置と通信回線を介して接続されて担保車両を管理する担保車両管理装置とからなる担保車両リースシステムであって、融資の利子支払、元本返済が所定の条件を満たしていない場合、車両リースのリース料の支払が所定の条件を満たしていない場合、及び担保車両又は担保車両搭載制御装置に異常が発生した場合に、担保車両管理装置は、担保車両搭載制御装置に車両停止警報の発報及び起動ロック解除手段の作動を指示し、担保車両の位置情報を添付した担保車両の回収指令を出力することを特徴とする。【選択図】図１
2018073165.tif 000002
【特許請求の範囲】
【請求項１】
車両を担保として融資を行い、当該担保車両を被融資者に有償貸渡する金融・車両リース事業において、担保車両に装着される担保車両搭載制御装置と、該担保車両搭載制御装置と通信回線を介して接続されて担保車両を管理する担保車両管理装置とからなる担保車両管理システムであって、
前記担保車両搭載制御装置は、
前記担保車両の位置情報を検知して、担保車両位置情報を前記担保車両管理装置に伝達する位置情報検知手段と、
前記担保車両の起動をロックする起動ロック手段と、
前記担保車両及び前記担保車両搭載制御装置の異常の有無を検知して、前記担保車両管理装置に伝達する車両状況検知手段と、
前記担保車両管理装置の指示に基づき、前記起動ロック手段の作動を通知する警報手段と、
前記担保車両管理装置の指示に基づき、前記起動ロック手段を作動させる制御手段と、を有し、
前記担保車両管理装置は、
前記担保車両に対応する融資の返済、利子支払を管理し、融資返済、利子支払が所定の条件を満たしていない場合、前記担保車両の回収信号を出力する融資返済管理手段と、
前記担保車両に対応する車両リースのリース料の支払を管理し、車両リースのリース料の支払が所定の条件を満たしていない場合、前記担保車両の回収信号を出力する担保車両リース管理手段と、
前記担保車両又は担保車両搭載制御装置に異常が発生した場合、前記担保車両の回収信号を出力する担保車両保全管理手段と、
前記担保車両搭載制御装置の起動ロック手段の作動を指示する担保車両制御指示手段と、を有し、
前記担保車両の回収信号が出力されれば、前記担保車両制御指示手段は、前記担保車両搭載制御装置に車両停止警報の発報及び起動ロック手段の作動を指示し、前記担保車両の位置情報を添付した前記担保車両の回収指令を出力することを特徴とする担保車両管理システム。
【請求項２】
車両を担保として融資を行い、当該担保車両を被融資者に有償貸渡する金融・車両リース事業において、車両を質草（担保）として預かり、流質期限までに当該質物で担保される債権の弁済を受けないときは、当該質物をもってその弁済に充てる約款を附して、金銭を貸し付ける質業であり、貸付を行うと同時に、当該担保車両を被融資者に有償貸渡する金融・車両リースシステムであって、
担保車両に装着される担保車両搭載制御装置と、該担保車両搭載制御装置と通信回線を介して接続されて担保車両を管理する担保車両管理装置とからなり、
前記担保車両搭載制御装置は、
前記担保車両の位置情報を検知して、担保車両位置情報を前記担保車両管理装置に伝達する位置情報検知手段と、
前記担保車両の起動をロックする起動ロック手段と、
前記担保車両及び前記担保車両搭載制御装置の異常の有無を検知して、前記担保車両管理装置に伝達する車両状況検知手段と、
前記担保車両管理装置の指示に基づき、前記起動ロック手段の作動を通知する警報手段と、
前記担保車両管理装置の指示に基づき、前記起動ロック手段を作動させる制御手段と、を有し、
前記担保車両管理装置は、
前記担保車両に対応する融資の返済、利子支払を管理し、融資返済、利子支払が所定の条件を満たしていない場合、前記担保車両の回収信号を出力する融資返済管理手段と、
前記担保車両に対応する車両リースのリース料の支払を管理し、車両リースのリース料の支払が所定の条件を満たしていない場合、前記担保車両の回収信号を出力する担保車両リース管理手段と、
前記担保車両又は担保車両搭載制御装置に異常が発生した場合、前記担保車両の回収信号を出力する担保車両保全管理手段と、
前記担保車両搭載制御装置の起動ロック手段の作動を指示する担保車両制御指示手段と、を有し、
前記担保車両の回収信号が出力されれば、前記担保車両制御指示手段は、前記担保車両搭載制御装置に車両停止警報の発報及び起動ロック手段の作動を指示し、前記担保車両の位置情報を添付した前記担保車両の回収指令を出力する担保車両管理システムを用いることを特徴とする金融・車両リースシステム。
【発明の詳細な説明】
【技術分野】
【０００１】
本発明は、自動２輪車両、４輪車両等の自動車を担保として融資を行い、当該担保車両を被融資者に有償貸渡する金融・車両リース事業における担保車両の管理システム及びそれを用いた金融・車両リースシステムに関する。
【背景技術】
【０００２】
現在、自動車を担保とする自動車担保融資が行われている。この自動車担保融資は、担保の目的物である自動車を担保提供者の手元に残し、使用を継続したままで担保に取り、融資を行うもので、被融資者にとっては、不動産担保と同様に使用収益を得ながら融資を受けられるメリットがあり、債権者にとっては、債権と同等以上の価値がある自動車に抵当権を設定することにより債務弁済不履行の場合には抵当権を実行して債権額全額を回収できるメリットがある。
一方、自動車は耐久消費財であるため、経過年数及び走行距離の増加によりその担保価値が下落する。そのため、中古車の場合は、自動車担保融資における担保価値の査定において、予想される市場価格よりかなり低めに査定される場合が多く、十分な融資が得られないという問題があった。
【０００３】
また、特許文献１には、中古車販売会社が保有する複数の在庫車両の情報を登録管理し、在庫車両データをもとに担保価値の合計を査定して、必要な融資額を得る方法が提案されているが、特許文献１の方法では、多数の車両を有する法人にとっては有益であるものの、少数の車両を保有する個人利用者にとっては、十分な融資が得られるものではなかった。
【０００４】
中古車両においても、担保車両に抵当権を設定するのではなく譲渡担保（質草）とすれば、中古車両の予想される市場価格に近い査定を受けられることが予想される。しかしながら、被融資者にとっては、譲渡担保（質草）として融資者（質屋）に担保車両を渡してしまうと、返済までの間車両の利用ができなくなるという問題がある。
一方、融資者（質屋）においても、車両を譲渡担保（質草）として預かった場合には、車両の保管スペースの確保や車両メンテナンスに手がかかる等の困難がある。
また、融資者（質屋）が譲渡担保（質草）の車両を被融資者に貸し出した場合に、質草の担保車両を勝手に処分される恐れがあるという問題も有していた。
【先行技術文献】
【特許文献】
【０００５】
【特許文献１】特開２００１−３０６８０５号公報
【特許文献２】特開平０６−０６８０９５号公報
【特許文献３】特開２００２−１３３５１０号公報
【発明の開示】
【発明が解決しようとする課題】
【０００６】
本発明は、上記従来の問題点に鑑みてなされたものであって、本発明の目的は、中古車両においても予想される市場価格に相応した融資が得られ、かつ担保車両の使用収益も得られる金融・車両リース事業における担保車両の管理システム及びそれを用いた金融・車両リースシステムを提供することにある。
【０００７】
現在、車両、自転車などの移動体レンタルにおいて、位置識別装置や遠隔制御装置等の管理装置を取り付けて管理する移動体レンタルシステムが提案されている（例えば、特許文献２、３参照）。
しかしながら、これらの提案では、移動体レンタルの走行距離などを管理する方法にとどまり、担保車両を被融資者に有償貸渡する金融・車両リース事業における担保車両の管理システムとしては十分なものではなく、融資時の担保車両に管理装置を取り付けて被融資者に有償貸渡する金融・車両リースシステムの提案は、いまだ知られていない。
【課題を解決するための手段】
【０００８】
上記目的を達成するためになされた本発明の一態様による担保車両の管理システムは、車両を担保として融資を行い、当該担保車両を被融資者に有償貸渡する金融・車両リース事業において、担保車両に装着される担保車両搭載制御装置と、該担保車両搭載制御装置と通信回線を介して接続されて担保車両を管理する担保車両管理装置とからなる担保車両管理システムであって、前記担保車両搭載制御装置は、前記担保車両の位置情報を検知して、担保車両位置情報を前記担保車両管理装置に伝達する位置情報検知手段と、前記担保車両の起動をロックする起動ロック手段と、前記担保車両及び前記担保車両搭載制御装置の異常の有無を検知して、前記担保車両管理装置に伝達する車両状況検知手段と、前記担保車両管理装置の指示に基づき、前記起動ロック手段の作動を通知する警報手段と、前記担保車両管理装置の指示に基づき、前記起動ロック手段を作動させる制御手段と、を有し、前記担保車両管理装置は、前記担保車両に対応する融資の返済、利子支払を管理し、融資返済、利子支払が所定の条件を満たしていない場合、前記担保車両の回収信号を出力する融資返済管理手段と、前記担保車両に対応する車両リースのリース料の支払を管理し、車両リースのリース料の支払が所定の条件を満たしていない場合、前記担保車両の回収信号を出力する担保車両リース管理手段と、前記担保車両又は担保車両搭載制御装置に異常が発生した場合、前記担保車両の回収信号を出力する担保車両保全管理手段と、前記担保車両搭載制御装置の起動ロック手段の作動を指示する担保車両制御指示手段と、を有し、前記担保車両の回収信号が出力されれば、前記担保車両制御指示手段は、前記担保車両搭載制御装置に車両停止警報の発報及び起動ロック手段の作動を指示し、前記担保車両の位置情報を添付した前記担保車両の回収指令を出力することを特徴とする。
【０００９】
上記目的を達成するためになされた本発明の一態様による金融・車両リースシステムは、車両を担保として融資を行い、当該担保車両を被融資者に有償貸渡する金融・車両リース事業において、車両を質草（担保）として預かり、流質期限までに当該質物で担保される債権の弁済を受けないときは、当該質物をもってその弁済に充てる約款を附して、金銭を貸し付ける質業であり、貸付を行うと同時に、当該担保車両を被融資者に有償貸渡する金融・車両リースシステムであって、担保車両に装着される担保車両搭載制御装置と、該担保車両搭載制御装置と通信回線を介して接続されて担保車両を管理する担保車両管理装置とからなり、前記担保車両搭載制御装置は、前記担保車両の位置情報を検知して、担保車両位置情報を前記担保車両管理装置に伝達する位置情報検知手段と、前記担保車両の起動をロックする起動ロック手段と、前記担保車両及び前記担保車両搭載制御装置の異常の有無を検知して、前記担保車両管理装置に伝達する車両状況検知手段と、前記担保車両管理装置の指示に基づき、前記起動ロック手段の作動を通知する警報手段と、前記担保車両管理装置の指示に基づき、前記起動ロック手段を作動させる制御手段と、を有し、前記担保車両管理装置は、前記担保車両に対応する融資の返済、利子支払を管理し、融資返済、利子支払が所定の条件を満たしていない場合、前記担保車両の回収信号を出力する融資返済管理手段と、前記担保車両に対応する車両リースのリース料の支払を管理し、車両リースのリース料の支払が所定の条件を満たしていない場合、前記担保車両の回収信号を出力する担保車両リース管理手段と、前記担保車両又は担保車両搭載制御装置に異常が発生した場合、前記担保車両の回収信号を出力する担保車両保全管理手段と、前記担保車両搭載制御装置の起動ロック手段の作動を指示する担保車両制御指示手段と、を有し、前記担保車両の回収信号が出力されれば、前記担保車両制御指示手段は、前記担保車両搭載制御装置に車両停止警報の発報及び起動ロック手段の作動を指示し、前記担保車両の位置情報を添付した前記担保車両の回収指令を出力する担保車両管理システムを用いることを特徴とする。
【発明の効果】
【００１０】
本願発明の担保車両の管理システムによれば、  金融・車両リース事業者は、譲渡担保の車両を被融資者に貸し出しても、被融資者が担保車両を勝手に処分することを防止し、安全に金融・車両リースの営業を実施することができ、また、担保車両のメンテナンス、保管を被融資者に任せ、担保車両の事故や故障による不具合の発生の場合にはすぐに対応することができるというメリットがある。
また、本願発明の金融・車両リースシステムによれば、被融資者にとっては、中古車両であっても自己の車両を担保として市場価格から予想される額に近い融資を受けられるばかりでなく、融資の返済が完了していなくとも、使い慣れた自己の車両を継続使用可能であるというメリットを有する。
【図面の簡単な説明】
【００１１】
【図１】本発明の一実施形態による担保車両の管理システムを用いる金融・車両リース事業のスキームを説明するための図である。
【図２】本発明の一実施形態による金融・車両リース事業における担保車両の管理システムを説明するためのブロック図である。
【図３】図２に示す担保車両搭載制御装置の構成を説明するためのブロック図である。
【図４】図２に示す担保車両管理装置の構成を説明するためのブロック図である。
【図５】本発明の一実施形態による金融・車両リース事業における担保車両の管理システムにおいて、流質期限管理を説明するためのフロー図である。
【図６】本発明の一実施形態による金融・車両リース事業における担保車両の管理システムにおいて、融資返済のフローを説明するためのフロー図である。
【図７】本発明の一実施形態による金融・車両リース事業における担保車両の管理システムにおいて、利子支払のフローを説明するためのフロー図である。
【図８】本発明の一実施形態による金融・車両リース事業における担保車両の管理システムにおいて、流質期限について期限前の利用者案内するを説明するためのフロー図である。
【図９】本発明の一実施形態による金融・車両リース事業における担保車両の管理システムにおいて、リース期間管理を説明するためのフロー図である。
【図１０】本発明の一実施形態による金融・車両リース事業における担保車両の管理システムにおいて、リース期間延長のフローを説明するためのフロー図である。
【図１１】本発明の一実施形態による金融・車両リース事業における担保車両の管理システムにおいて、リース期間管理についてリース期間満了前の利用者案内を説明するためのフロー図である。
【図１２】本発明の一実施形態による金融・車両リース事業における担保車両の管理システムにおいて、担保車両の車両保全管理フローを説明するためのフロー図である。
【図１３】本発明の一実施形態による金融・車両リース事業における担保車両の管理システムにおいて、担保車両の起動ロック、車両回収のフローを説明するためのフロー図である。
【発明を実施するための形態】
【００１２】
以下、本発明の金融・車両リース事業における担保車両の管理システムを実施するための形態の具体例を、図面を参照しながら詳細に説明する。
図１は、本実施形態による担保車両２０の管理システムを用いる金融・車両リースシステムのスキームを説明するための図である。
【００１３】
図１を参照して、本実施形態の担保車両２０の管理システムを用いる金融・車両リースシステムの流れを説明すれば、本実施形態における金融・車両リース事業者３０は、質預かりによる金銭貸付の質屋営業と、質預かり車両の有償貸渡による車両のレンタル、リース営業と、を共に行うものである。
所有する車両を担保に融資を受けようとする利用者１０は、金融・車両リース事業者３０に担保車両２０（質草）の価額査定を受ける。
金融・車両リース事業者３０は、担保車両２０（質草）の価額を査定し、融資金額、流質期限、利子および質契約内容、担保車両２０のリース契約内容を利用者に提示し、流質期限までに当該質物で担保される債権の弁済を受けないときは、当該質物をもってその弁済に充てる約款を附した質権設定契約及び車両のリース契約を締結する。
【００１４】
このとき、流質期限とリース期間は同一であってもよく、利用者１０が利子支払、リース料支払により流質期限を延長すればリース期間も同時に延長され、利子支払、リース料支払がなく流質期限を渡過すればリース期間も終了となり、担保車両２０は質流れとなって金融・車両リース事業者３０に回収されることとなる。一方、融資額の返済が完了すれば、担保車両２０は利用者１０に返却される。
また、利子の支払いがなく流質しても利用者１０がリース料金を支払えば、リースを継続するようにしてもよい。この場合、担保車両２０はすでに流質しているので、車両の返却を希望しても、融資金の返済による車両の返却を求めることはできず、金融・車両リース事業者３０の付けた販売価格で、古物として買い戻さねばならない。
金融・車両リース事業において、融資利子とリース料の合計は、通常の質営業における利子と同額になるように設定することが好ましく、これにより、利用者１０は通常の質営業と同等の利便性で金融・車両リースの営業を利用できる。
【００１５】
図２は、本実施形態の担保車両２０の管理システムを説明するためのブロック図である。
本実施形態において、利用者１０に貸渡される担保車両２０には、担保車両搭載制御装置１００が装着される。担保車両２０の本体に装着された担保車両搭載制御装置１００は、担保車両２０を管理するための担保車両管理装置２００に通信回線を介して接続される。
金融・車両リース事業者３０は、担保車両搭載制御装置１００及び担保車両管理装置２００を管理し、融資の利子支払、元本返済、リース料支払が所定の条件を満たしていない場合や担保車両２０又は担保車両搭載制御装置１００に異常が発生した場合には、担保車両搭載制御装置１００を用いて担保車両２０を安全に停止させた後、担保車両２０の回収を行う。
【００１６】
図３は、本実施形態の担保車両搭載制御装置１００の構成を説明するためのブロック図である。
担保車両搭載制御装置１００は、金融・車両リース事業者３０と利用者１０の間で質権設定契約、リース契約が締結された時点で、締結金融・車両リース事業者３０が利用者１０に有償貸渡する譲渡担保（質草）の担保車両２０に設置される。
担保車両搭載制御装置１００は、車両の起動ロック手段と車両の位置情報検知手段を有し、金融・車両リース事業者３０が管理する担保車両管理装置２００の指示に基づき、担保車両２０を起動ロックして使用不能とし、担保車両２０の現在位置情報を通知して車両の回収を援助するものである。
【００１７】
担保車両搭載制御装置１００は、装置本体部１０５と、担保車両２０の起動をロックする起動ロック手段１１０と、を有し、装置本体部１０５は、起動ロック手段１１０に接続され、担保車両管理装置２００の指示に基づき、起動ロック手段１１０の起動ロック及び起動ロック解除を作動させる制御装置制御手段１３０と、担保車両２０及び担保車両搭載制御装置１００の異常の有無、担保車両２０の起動ロック状況を検知して、担保車両管理装置２００に伝達する車両状況検知手段１４０と、担保車両管理装置２００の指示に基づき、起動ロック手段１１０の作動を通知する制御装置警報手段１５０と、担保車両管理装置２００からの車両状況異常情報、担保車両管理情報、担保車両警報情報を表示するための制御装置表示入力手段１６０と、担保車両２０の位置情報を検知して、担保車両位置情報を担保車両管理装置２００に伝達する位置情報検知手段１７０と、担保車両管理装置２００と通信回線を介して通信するための制御装置通信部１８０と、を備える。
【００１８】
担保車両搭載制御装置１００の担保車両２０における設置場所は特に限定されないが、４輪車両の場合には、運転者に担保車両搭載制御装置１００のアラーム音が視聴可能であり、車両停止後容易に表示内容が閲覧できるように、装置本体部１０５がフロントパネルの運転席近傍に設置されることが望ましい。
また、２輪車両の場合にも、運転者に担保車両搭載制御装置１００のアラーム音が視聴可能であり、車両停止後容易に表示内容が閲覧できるように、ハンドル等の運転席近傍に装置本体部１０５が装着されることが望ましい。
【００１９】
起動ロック手段１１０は、車両の起動を不能にさせるものであり、例えば、ドアロック装置、タイヤロック装置、エンジン起動ロック装置などが、一種又は複数種組み合わせて用いられる。
起動ロック手段１１０は、車両に故障診断の端末が装着されている場合には、故障診断端末の起動停止回路と接続されていてもよい。
起動ロック手段１１０は、起動ロックが作動している状態になると発信する起動ロック作動信号、及び起動ロックが解除している状態になると発信する起動ロック解除信号を発信するための発信機を備え、起動ロック手段１１０の起動ロックが作動又は解除すると、起動ロック手段１１０は、車両状況検知手段１４０に起動ロック作動信号又は起動ロック解除信号を発信する。
【００２０】
担保車両２０の起動ロック、起動ロック解除は、担保車両管理装置２００の起動ロック指令及び起動ロック解除指令に基づいて行われる。
制御装置制御手段１３０は、担保車両管理装置２００の起動ロック指令を受信すると、車両状況検知手段１４０に起動ロック指令受信信号を発信し、起動ロック手段１１０を制御して起動ロックを作動させる。
制御装置制御手段１３０は、また、担保車両管理装置２００の起動ロック解除指令を受信すると、車両状況検知手段１４０に起動ロック解除指令受信信号を発信し、起動ロック手段１１０を制御して起動ロックを解除する。
【００２１】
車両状況検知手段１４０は、担保車両２０及び担保車両搭載制御装置１００の異常の有無、担保車両２０の起動ロック状況を検知し、担保車両管理装置２００に担保車両保全情報、担保車両搭載制御装置保全情報、起動ロック状況情報を送信する。
車両状況検知手段１４０は、担保車両２０の事故状況を検知するためのセンサーを有する。担保車両２０の事故状況を検知するためのセンサーとしては、例えば、振動センサー、加速度センサーなどの衝撃センサーが挙げられる。また、車両状況検知手段１４０は、車両に備えられた故障診断端末等の各種センサーと接続され、バッテリー充填量、燃料量、オイル量、エンジン回転数等の各種車両情報を入手可能にしてもよい。
車両状況検知手段１４０は、担保車両２０の事故状況を検知するためのセンサーからのデータをリアルタイム又は所定の時間ごとに担保車両管理装置２００に担保車両保全情報として送信する。
【００２２】
車両状況検知手段１４０は、また、起動ロック手段１１０と制御装置制御手段１３０が接続していることを確認するための確認手段、車両の蓄電装置と担保車両搭載制御装置１００が通電中であることを確認するための確認手段を有し、これらの確認手段は、例えば、起動ロック手段１１０と制御装置制御手段１３０との間のテスト信号の授受や起動ロック手段１１０の模擬動作、電圧検知による通電確認等が挙げられる。
車両状況検知手段１４０は、担保車両搭載制御装置１００の状況を検知するためのセンサー、確認手段からのデータをリアルタイム又は所定の時間ごとに担保車両管理装置２００に担保車両搭載制御装置保全情報として送信する。
【００２３】
車両状況検知手段１４０は、起動ロック手段１１０からの起動ロック作動信号、起動ロック解除作動信号、制御装置制御手段１３０からの起動ロック指令受信信号、起動ロック解除指令受信信号を受信し、それぞれの受信信号の受信時刻を起動ロック状況情報として担保車両管理装置２００に送信する。
担保車両管理装置２００は、担保車両搭載制御装置１００からの担保車両保全情報、担保車両搭載制御装置保全情報、起動ロック状況情報に基づいて、担保車両２０、担保車両搭載制御装置１００、起動ロック作動状況に異常が発生したと判断された場合には、担保車両２０の位置情報を添付した担保車両回収指令を出力する。
【００２４】
制御装置警報手段１５０は、起動ロックの作動、起動ロック解除の作動に際し、注意喚起のための警報を発するアラームを備え、担保車両管理装置２００より起動ロック又は起動ロック解除の指令が出された場合に警報を発動する。
制御装置表示入力手段１６０は、担保車両管理装置２００からの車両状況管理情報、担保車両融資管理情報、担保車両利子支払管理情報、担保車両リース管理情報、担保車両警報情報を表示するためのものであり、注意喚起及び車両動作指示を表示するための表示部と、担保車両２０の運転者が安全停止操作終了を入力するための入力部を備える。
【００２５】
位置情報検知手段１７０は、ＧＰＳ装置に相当する部分であり、人工衛星からの電波を受信し、受信した電波により提供されるデータを演算することにより自機の位置、すなわち、これが搭載された車両の現在位置を検出する。位置情報検知手段１１０において検出された現在位置を示す担保車両２０の位置情報は、リアルタイム又は所定時間ごとに、制御装置通信手段１８０を介して、担保車両管理装置２００に送信される。
位置検出手段１７０は、また、携帯電話のネットワークを利用した位置検出手段であってもよい。
【００２６】
図４は、本実施形態の担保車両管理装置２００の構成を説明するためのブロック図である。
担保車両管理装置２００は、金融・車両リース事業者３０が管理し、譲渡担保（質草）として預かり、被融資者に有償貸渡した担保車両２０を管理するために、担保車両２０に取り付けられた担保車両搭載制御装置１００と通信回線を介して接続される。
担保車両管理装置２００は、市販のＰＣ（パーソナルコンピュータ）等を用いて構成することができ、ＰＣを構成するＣＰＵ（中央制御装置）、メモリ、データベースを構成するハードディスク等の記憶装置、管理用として画像やテキスト等を表示する表示装置、キーボードやマウス等の入力装置、及び通信に関連するその他の入力装置等の説明及びその構成図面は省略する。また、これらを用いてソフトウェアプログラムの実行により機能する各構成部についても詳細な説明は省略する。
【００２７】
担保車両管理装置２００は、担保車両２０に対応する融資の利子支払、元本返済を管理し、融資の利子支払、元本返済が所定の条件を満たしていない場合、担保車両２０の回収信号を出力する融資返済管理手段２１０と、担保車両２０に対応する車両リースのリース料の支払を管理し、車両リースのリース料の支払が所定の条件を満たしていない場合、担保車両２０の回収信号を出力する担保車両リース管理手段２２０と、担保車両２０、担保車両搭載制御装置１００、又は担保車両２０の起動ロック状況に異常が発生した場合、担保車両２０の回収信号を出力する担保車両保全管理手段２３０と、担保車両搭載制御装置１００の起動ロック手段１２０の作動を指示する担保車両制御指示手段２４０と、担保車両搭載制御装置１００からの担保車両２０の位置情報を受信して、担保車両２０の走行履歴情報、現在所在位置情報を作成する位置情報処理手段２５０と、利用者１０の情報、担保車両２０の情報、担保車両搭載制御装置１００からの位置情報、検知情報等を保存するデータベース２６０と、担保車両搭載制御装置１００と通信回線を介して通信するための管理装置通信手段２７０と、を備える。
【００２８】
位置情報処理手段２５０は、担保車両搭載制御装置１００から送信された担保車両２０の位置情報を受信して、担保車両２０の走行履歴情報、現在所在位置情報を作成する。
位置情報処理手段２５０は、担保車両回収指令が出されれば、担保車両搭載制御装置１００から送信された最近の担保車両２０の位置情報に基づいて、担保車両２０の現在位置情報を作成して出力する。
現在位置情報は、地図上に車両位置が示され、車両が走行中の場合には、車両走行方向、車両走行速度が示されることが好ましい。また、現在位置情報には、経過時間ごとの予測位置情報が示されていることがさらに好ましい。
【００２９】
位置情報処理手段２５０は、担保車両搭載制御装置１００から送信された担保車両２０の位置情報に基づいて、担保車両２０の走行記録、駐車記録などの走行履歴情報を作成することができる。
金融・車両リース事業者３０は、走行履歴情報に基づいてスピード違反、駐車違反等の法定順守違反をチェックし、利用者１０に注意喚起あるいは車両回収措置を行ってもよい。
【００３０】
融資返済管理手段２１０は、担保車両２０に対応付けてデータが記録された案件ごとの融資・利子支払データシートを備え、担保車両２０に対応する融資の利子支払、元本返済を管理する。
融資・利子支払データシートには、少なくとも融資額、流質期限、単位期間当たりの利子額、融資返済の有無、利子支払の有無、リース料支払の有無が記録される。
図５は、本実施形態の担保車両の管理システムにおいて、融資返済、利子支払のフローを説明するためのフロー図である。
【００３１】
金融・車両リース事業者３０は、利用者１０との間で質権設定契約が締結されれば、融資金額、流質期限、利子等の契約内容を担保車両管理装置２００に入力する（Ｓ−２０１）。
担保車両管理装置２００は、契約内容が入力されれば、その内容が記録された対応案件の融資・利子支払データシートを作成する（Ｓ−２０２）。
融資返済管理手段２１０は、作成した融資・利子支払データシートを用いて、質権設定契約及び車両のリース契約を締結した各案件について、流質期限の管理を行う。
流質期限の管理は、融資・利子支払データシートの流質期限を日毎にチェックして各案件について流出期限渡過の有無をチェックする（Ｓ−２０３）。流出期限を渡過していれば、当該案件の融資返済が完済しているか否かをチェックする（Ｓ−２０４）。
Ｓ−２０４において融資が完済されていれば、流質期限の管理は終了し当該案件の融資・利子支払データシートはデータベース２６０に終了案件として保存され（Ｓ−２０５）、担保車両２０は、担保車両搭載制御装置１００を脱着して、利用者１０に返却される。
【００３２】
Ｓ−２０４において融資が完済されていなければ、融資返済管理手段２１０は、融資・利子支払データシートにより利子支払の有無をチェックする（Ｓ−２０６）。
融資返済管理手段２１０は、Ｓ−２０６において利子支払がなされていれば、利子支払により更新された流質期限により流質期限管理を行う。
Ｓ−２０６において利子支払がなされていなければ、融資返済管理手段２１０は、担保車両搭載制御装置１００に、流質期限渡過により担保車両２０は流質となるため担保車両２０の回収が行われる旨の流質期限管理情報を発信する（Ｓ−２０７）。
続いて、融資返済管理手段２１０は、担保車両２０の回収のため担保車両制御指示手段２４０に担保車両回収信号を発信し（Ｓ−２０８）、金融・車両リース事業者３０に向けて、流質のため担保車両２０を回収する旨の流出期限管理報告書を出力する（Ｓ−２０９）。
融資返済管理手段２１０は、融資・利子支払データシートに流質期日を記録して流質期限の管理を終了し、当該案件の融資・利子支払データシートをデータベース２６０に終了案件として保存する（Ｓ−２１０）。
なお、金融・車両リース事業者３０は、利用者１０から流質車両のリース申請があれば、新たにリース契約を取り交わして、回収した担保車両２０のリースを再開してもよい。
【００３３】
図６は、本実施形態の担保車両の管理システムにおいて、融資返済を説明するためのフロー図である。
金融・車両リース事業者３０は、利用者１０から融資返済の申し込みを受けると、担保車両管理装置２００に融資返済申請を入力する（Ｓ−２１１）。
融資返済管理手段２１０は、融資返済申請が入力されれば、申請日時が対応する担保車両の流質期限内であるか否かをチェックする（Ｓ−２１２）。
融資返済管理手段２１０は、申請日時が流質期限を渡過していれば、融資返済不可の流質期限管理報告書を出力し（Ｓ−２１３）、申請日時が対応する担保車両の流質期限内であれば、融資返済可能又は流質期限延長可能の流質期限管理報告書を出力する（Ｓ−２１４）。
【００３４】
金融・車両リース事業者３０は、融資返済不可の流質期限管理報告書が出力されれば、利用者１０に流質期限の渡過により融資返済は不可であることを伝え、融資返済は中止とする。一方、融資返済可の流質期限管理報告書が出力されれば、金融・車両リース事業者３０は、融資返済手続を実行し、担保車両管理装置２００に融資返済完了を入力する（Ｓ−２１５）。
金融・車両リース事業者３０により流質期限内に担保車両２０に対応する融資の返済完了の入力がなされれば、融資返済管理手段２１０は、担保車両２０の返却及び担保車両搭載制御装置１００の脱着の案内を知らせる流質期限管理情報を担保車両搭載制御装置１００に送信し（Ｓ−２１６）、融資・利子支払データシートに融資完済を記録して融資・利子支払データシートをデータベース２６０に保存する（Ｓ−２１７）。
担保車両搭載制御装置１００は、担保車両２０の返却及び担保車両搭載制御装置１００の脱着の案内を知らせる流質期限管理情報を受信すれば（Ｓ−１１１）、制御装置表示入力手段１６０に当該流質期限管理情報を表示し（Ｓ−１１２）、利用者１０は、流質期限管理情報の案内に従って、担保車両２０の返却及び担保車両搭載制御装置１００の脱着の手続を行う。
【００３５】
図７は、本実施形態の担保車両の管理システムにおいて、利子支払による流質期限の延長を説明するためのフロー図である。
金融・車両リース事業者３０は、利用者１０から利子支払による流質期限の延長の申し込みを受けると、担保車両管理装置２００に利子支払申請を入力する（Ｓ−２２１）。
融資返済管理手段２１０は、利子支払申請が入力されれば、申請日時が対応する担保車両の流質期限内であるか否かをチェックする（Ｓ−２２２）。
融資返済管理手段２１０は、申請日時が流質期限を渡過していれば、利子支払による流質期限の延長不可の流質期限管理報告書を出力し（Ｓ−２２３）、申請日時が対応する担保車両の流質期限内であれば、利子支払による流質期限の延長可能の流質期限管理報告書を出力する（Ｓ−２２４）。
【００３６】
金融・車両リース事業者３０は、利子支払による流質期限の延長不可の流質期限管理報告書が出力されれば、利用者１０に流質期限の渡過により利子支払による流質期限の延長は不可であることを伝え、利子支払は中止とする。一方、利子支払による流質期限の延長可の流質期限管理報告書が出力されれば、金融・車両リース事業者３０は、利子支払手続を実行し、担保車両管理装置２００に利子支払完了を入力する（Ｓ−２２５）。
金融・車両リース事業者３０により流質期限内に担保車両２０に対応する利子支払完了の入力がなされれば、融資返済管理手段２１０は、利子支払による流質期限の延長を知らせる流質期限管理情報を担保車両搭載制御装置１００に送信し（Ｓ−２２６）、融資・利子支払データシートに流質期限の更新による更新流質期限を記録する（Ｓ−２２７）。
担保車両搭載制御装置１００は、利子支払による流質期限の延長の流質期限管理情報を受信すれば（Ｓ−１２１）、制御装置表示入力手段１６０に当該流質期限管理情報を表示する（Ｓ−１２２）。
【００３７】
融資返済管理手段２１０は、流質期限について期限前に利用者１０に案内し、誤って流質を発生させないようにすることが好ましい。図８は、本実施形態の担保車両の管理システムにおいて、流質期限について期限前に利用者１０に案内するフローを説明するためのフロー図である。
融資返済管理手段２１０は、、融資・利子支払データシートの流質期限を日毎にチェックして、各案件について流出期限前日であるか否かをチェックする（Ｓ−２３１）。担保車両２０の流質期限の前日であれば、担保車両２０に搭載された担保車両搭載制御装置１００に、流質期限の前日であること及び流質期限を渡過すれば車両を回収する旨の流質期限管理情報を発信する（Ｓ−２３２）。
担保車両搭載制御装置１００は、流質期限の前日の流質期限管理情報を受信すれば（Ｓ−１３１）、制御装置表示入力手段１６０に当該流質期限管理情報を表示する（Ｓ−１３２）。
【００３８】
次に、融資返済管理手段２１０は、、融資・利子支払データシートの流質期限を日毎にチェックして、各案件について流出期限当日であるか否かをチェックする（Ｓ−２３３）。担保車両２０の流質期限の当日であれば、担保車両搭載制御装置１００に、流質期限の当日であること及び流質期限を渡過すれば車両を回収する旨の流質期限管理情報を発信し（Ｓ−２３４）、流質期限の当日であること及び流質期限を渡過すれば車両を回収する旨の流質期限管理報告書を出力する（Ｓ−２３５）。
担保車両搭載制御装置１００は、流質期限の当日の流質期限管理情報を受信すれば（Ｓ−１３３）、制御装置表示入力手段１６０に当該流質期限管理情報を表示する（Ｓ−１３４）。
【００３９】
担保車両リース管理手段２２０は、担保車両２０に対応付けてデータが記録された案件ごとのリース料金支払データシートを備え、担保車両２０に対応するリース料金の支払を管理する。
リース料金支払データシートには、少なくとも担保車両２０に対応付けてリース期間、単位期間当たりのリース料金が記録される。
図９は、本実施形態の担保車両の管理システムにおいて、リース期間管理を説明するためのフロー図である。
【００４０】
金融・車両リース事業者３０は、利用者１０との間で車両のリース契約が締結されれば、リース期間等の担保車両２０のリース契約内容を担保車両管理装置２００に入力する（Ｓ−２４１）。
担保車両リース管理手段２２０は、契約内容が入力されれば、その内容が記録された対応案件のリース料金支払データシートを作成する（Ｓ−２４２）。
担保車両リース管理手段２２０は、作成したリース料金支払データシートを用いて、リース契約を締結した各案件について、リース期間の管理を行う。
リース期間の管理は、リース料金支払データシートのリース期間を日毎にチェックして各案件についてリース期間終了の有無をチェックし（Ｓ−２４３）、リース期間を渡過していれば、当該案件のリース期間延長のためのリース料金が支払われているか否かをチェックし（Ｓ−２４４）、リース料金が支払われていれば、リース料金支払により更新されたリース期間によりリース期間管理を行う。
【００４１】
Ｓ−２４４においてリース料金が支払われていなければ、担保車両リース管理手段２２０は、担保車両搭載制御装置１００に、リース期間渡過により担保車両２０の回収が行われる旨のリース期間管理情報を発信する（Ｓ−２４５）。
続いて、担保車両リース管理手段２２０は、担保車両２０の回収のため担保車両制御指示手段２４０に担保車両回収信号を発信し（Ｓ−２４６）、金融・車両リース事業者３０に向けて、リース期間渡過のため担保車両２０を回収する旨のリース期間管理報告書を出力する（Ｓ−２４７）。
融資返済管理手段２１０は、リース料金支払データシートにリース期間終了日を記録してリース期間の管理を終了し、当該案件のリース料金支払データシートをデータベース２６０に終了案件として保存する（Ｓ−２４８）。
金融・車両リース事業者３０は、利用者１０から流質車両のリース申請があれば、回収した担保車両２０のリースを再開する。
【００４２】
図１０は、本実施形態の担保車両の管理システムにおいて、リース料金支払によるリース期間の延長を説明するためのフロー図である。
金融・車両リース事業者３０は、利用者１０からリース料金支払によるリース期間の延長の申し込みを受けると、担保車両管理装置２００にリース期間延長申請を入力する（Ｓ−２５１）。
担保車両リース管理手段２２０は、リース期間延長申請が入力されれば、申請日時が対応する担保車両のリース期間内であるか否かをチェックする（Ｓ−２５２）。
担保車両リース管理手段２２０は、申請日時が流質期限を渡過していれば、リース料金支払によるリース期間の延長不可のリース期間管理報告書を出力し（Ｓ−２５３）、申請日時が対応する担保車両の流質期限内であれば、リース料金支払によるリース期間の延長可能のリース期間管理報告書を出力する（Ｓ−２５４）。
【００４３】
金融・車両リース事業者３０は、リース料金支払によるリース期間の延長不可のリース期間管理報告書が出力されれば、利用者１０にリース期間の渡過によりリース料金支払によるリース期間の延長は不可であることを伝え、リース期間延長受付は中止とする。一方、リース料金支払によるリース期間の延長可のリース期間管理報告書が出力されれば、金融・車両リース事業者３０は、リース料金支払の受付手続を実行し、担保車両管理装置２００にリース料金支払完了を入力する（Ｓ−２５５）。
金融・車両リース事業者３０によりリース期間内に担保車両２０に対応するリース料金支払完了の入力がなされれば、担保車両リース管理手段２２０は、リース料金支払によるリース期間の延長を知らせるリース期間管理情報を担保車両搭載制御装置１００に送信し（Ｓ−２５６）、リース料金支払データシートにリース期間の更新による更新リース期間を記録する（Ｓ−２５７）。
担保車両搭載制御装置１００は、リース料金支払によるリース期間の延長のリース期間管理情報を受信すれば（Ｓ−１５１）、制御装置表示入力手段１６０に当該リース期間管理情報を表示する（Ｓ−１５２）。
【００４４】
担保車両リース管理手段２２０は、リース期間についてリース期間終了前に利用者１０に案内し、誤ってリース期間渡過を発生させないようにすることが好ましい。図１１は、本実施形態の担保車両の管理システムにおいて、リース期間についてリース期間終了前に利用者１０に案内するフローを説明するためのフロー図である。
担保車両リース管理手段２２０は、担保車両２０のリース申請がなされれば（Ｓ−２６１）、リース料金支払データシートのリース期間を日毎にチェックして、各案件についてリース期間終了の前日であるか否かをチェックする（Ｓ−２６２）。担保車両２０のリース期間終了の前日であれば、担保車両２０に搭載された担保車両搭載制御装置１００に、リース期間終了の前日であること及びリース期間を渡過すれば車両を回収する旨のリース期間管理情報を発信する（Ｓ−２６３）。
担保車両搭載制御装置１００は、リース期間終了の前日のリース期間管理情報を受信すれば（Ｓ−１６１）、制御装置表示入力手段１６０に当該リース期間管理情報を表示する（Ｓ−１６２）。
【００４５】
次に、担保車両リース管理手段２２０は、リース料金支払データシートのリース期間を日毎にチェックして、各案件についてリース期間終了の当日であるか否かをチェックする（Ｓ−２６４）。担保車両２０のリース期間終了の当日であれば、担保車両搭載制御装置１００に、リース期間終了の当日であること及びリース期間を渡過すれば車両を回収する旨のリース期間管理情報を発信し（Ｓ−２６５）、リース期間終了の当日であること及びリース期間を渡過すれば車両を回収する旨のリース期間管理報告書を出力する（Ｓ−２６６）。
担保車両搭載制御装置１００は、リース期間終了の当日のリース期間管理情報を受信すれば（Ｓ−１６３）、制御装置表示入力手段１６０に当該リース期間管理情報を表示する（Ｓ−１６４）。
【００４６】
担保車両保全管理手段２３０は、担保車両搭載制御装置１００からの検知データ情報に基づいて、担保車両２０及び担保車両搭載制御装置１００の保全状況をチェックし、検知データが予め定められた範囲から外れた場合、担保車両２０の回収信号を出力する。
図１２は、本実施形態による金融・車両リース事業における担保車両の管理システムにおいて、車両保全管理を説明するためのフロー図である。以下、図９を参照して、担保車両２０搭載された担保車両搭載制御装置１００と担保車両管理装置２００で行う車両保全管理について説明する。
【００４７】
担保車両保全管理手段２３０は、担保車両搭載制御装置１００と担保車両管理装置２００間の通信状況、担保車両搭載制御装置１００の通電状況、起動ロック手段１２０の作動状況、担保車両２０の事故発生状況について所定時間ごとにチェックし、チェック結果についての担保車両保全管理報告を出力する。
担保車両搭載制御装置１００と担保車両管理装置２００間の通信状況のチェックは、位置情報受信情報により行う。位置情報処理手段２５０は、担保車両２０の位置情報を受信した場合、担保車両保全管理手段２３０に位置情報受信情報を発信する。
担保車両保全管理手段２３０は、担保車両搭載制御装置１００から、位置情報受信情報、担保車両保全情報、起動ロック状況情報を受信する（Ｓ−２７１）と、位置情報受信情報の位置情報受信時刻について、交信が予め定められた時間サイクルで行われているか否かをチェックする（Ｓ−２７２）。
担保車両搭載制御装置１００からの位置情報が予め定められた時間サイクルで行われていなければ、通信異常と判断してＳ−２７８の車両回収のステップに移行する。通信状況に異常が認められなければ、次の通電状況チェックに移行する。
【００４８】
担保車両搭載制御装置１００の車両電源との通電状況のチェックは、担保車両搭載制御装置１００に搭載されたセンサーの検知データ及び起動ロック作動情報が記録された担保車両保全情報により行う。
担保車両保全情報に記録された検知データは、通電状況に関する検知データ、起動ロック作動状況に関する検知データ、事故状況に関する検知データを含む。
担保車両保全管理手段２３０は、受信した担保車両保全情報の通電検知のためのセンサーの検知データと予め設定された閾値と比較して、検知データが閾値から外れるか否かをチェックする（Ｓ−２７４）。
通電検知のための検知データは、例えば車両電源の電圧値と担保車両搭載制御装置１００の受電側の電圧値の比であり、その比が予め設定された正常範囲を外れれば、通電異常と判断してＳ−２７８の車両回収のステップに移行する。通電状況に異常が認められなければ、次の起動ロック作動状況チェックに移行する。
【００４９】
起動ロック作動状況に関する検知データは、起動ロック手段１１０と制御装置制御手段１３０が接続していることを確認するための、例えば定期的なテスト信号の授受や起動ロック手段１１０の模擬動作に関するデータであり、このデータが予め設定された正常範囲を外れれば、通電異常と判断してＳ−２７８の車両回収のステップに移行し、異常が認められなければ、起動ロック信号のチェックに移行する。
【００５０】
起動ロック信号のチェックは、担保車両搭載制御装置１００の車両状況検知手段１４０から送信される、起動ロック作動信号、起動ロック解除信号、起動ロック指令受信信号、起動ロック解除指令受信信号の受信時刻が記録された起動ロック状況情報を用いて行う。
担保車両保全管理手段２３０は、起動ロックの作動や解除が担保車両管理装置２００の指示に基づかずに行われた場合、すなわち、対応する起動ロック指令受信信号、起動ロック解除指令受信信号なしに起動ロックの作動や解除の信号があった場合、不法に起動ロックが操作されたとして、起動ロック信号異常と判断する。
担保車両保全管理手段２３０は、起動ロック信号異常があれば、Ｓ−２７８の車両回収のステップに移行し、異常が認められなければ、車両事故発生状況のチェックに移行する。
【００５１】
車両事故発生状況のチェックは、担保車両搭載制御装置１００に設けられた車両事故を検知するためのセンサーによる検知データ、例えば、衝撃センサーによる車両に加えられた衝撃データを用いて判断する。
事故状況を検知するためのセンサーの検知データが、事故の有無を判断するために予め定められた範囲を外れた場合に、担保車両保全管理手段２３０は、担保車両２０の事故の発生と判断する。
担保車両保全管理手段２３０は、担保車両２０の事故の発生と判断されれば、Ｓ−２７８の車両回収のステップに移行し事故の発生が認められなければ、車両保全状況のチェックを終了する。
【００５２】
担保車両保全管理手段２３０は、チェックした項目がいずれも良好であれば、担保車両２０の保全状況が良好である旨を記載した担保車両保全管理報告書を出力する。担保車両保全管理報告書の出力は、所定の時間ごとに行われることが好ましい。
担保車両保全管理手段２３０は、チェックした項目のいずれか一つが異常であれば、保全状況に異常が発生したと判断される検知データを確認したので、車両状況の確認のための車両回収を行う旨の車両保全管理情報を担保車両搭載制御装置１００に発信する（Ｓ−２７８）。
次いで、担保車両保全管理手段２３０は、担保車両制御指示手段２４０に担保車両２０の回収信号を出力し（Ｓ−２７９）、車両保全状況の確認のための車両回収を行う旨の担保車両保全情報報告を出力する（Ｓ−２８０）。車両回収を行う旨の担保車両保全情報報告は、車両回収のための回収信号が出されるごとに出力される。
【００５３】
図１３は、本実施形態の担保車両２０の管理システムにおいて、担保車両２０の車両回収のフローを説明するためのフロー図である。
担保車両管理装置２００の担保車両制御指示手段２４０は、担保車両２０の回収信号を受信する（Ｓ−２８１）と、担保車両搭載制御装置１００の制御装置制御手段１３０に起動ロック指令を発信する（Ｓ−２８２）。
起動ロック指令を受信した担保車両搭載制御装置１００の制御装置制御手段１３０は、車両状況検知手段１４０に起動ロック指令受信信号を発信し（Ｓ−１８２）、制御装置警報手段１５０に起動ロック作動を知らせる警報を発報させる（Ｓ−１８３）。
【００５４】
担保車両制御指示手段２４０は、起動ロック指令を発信後、制御装置表示入力手段１６０に起動ロック作動のための安全停止操作を指示する担保車両警報情報を発信する（Ｓ−２８３）。
制御装置表示入力手段１６０は、制御装置警報手段１５０の起動ロック作動を知らせる警報の発報後、起動ロック作動のための安全停止操作を指示する担保車両警報情報を表示する（Ｓ−１８４）。
担保車両２０の運転者は、当該警報及び表示により、車両を安全な場所に停止させ、担保車両搭載制御装置１００に安全停止操作完了の入力を行う（Ｓ−１８５）。
制御装置表示入力手段１６０に安全停止操作終了が入力されれば、制御装置制御手段１３０は、起動ロック手段１１０に起動信号を発信し起動ロックを作動させる（Ｓ−１８６）。
起動ロックが作動すれば、起動ロック手段１１０は、車両状況検知手段１４０に起動ロック作動信号を発信する（Ｓ−１８７）。車両状況検知手段１４０は、担保車両管理装置２００に起動ロック指令受信信号情報、起動ロック作動情報を含む起動ロック状況情報を発信する（Ｓ−１８８）。
【００５５】
担保車両管理装置２００の担保車両制御指示手段２４０は、起動ロック作動情報を含む起動ロック状況情報を受信する（Ｓ−２８４）と、担保車両２０の車両回収要請書を出力し（Ｓ−２８５）、位置情報処理手段２５０に現在所在位置情報の出力指示の信号を出力する（Ｓ−２８６）。位置情報処理手段２５０は、担保車両２０の現在所在位置情報を出力する（Ｓ−２８７）。
金融・車両リース事業者３０の車両回収部署は、担保車両２０の車両回収要請書及び担保車両２０の現在所在位置情報を受け、担保車両２０の回収を行う。
【符号の説明】
【００５６】
１０    利用者
２０    担保車両
３０    金融・車両リース事業者
１００    担保車両搭載制御装置
１０５    制御装置本体部
１１０    起動ロック手段
１２０    起動ロック解除手段
１３０    制御装置制御手段
１４０    車両状況検知手段
１５０    制御装置警報手段
１６０    制御装置表示入力手段
１７０    位置情報検知手段
１８０    制御装置通信部
２００    担保車両管理装置
２１０    融資返済管理手段
２２０    担保車両リース管理手段
２３０    担保車両保全管理手段
２４０    担保車両制御指示手段
２５０    位置情報処理手段
２６０    データベース
２７０    管理装置通信手段
【図１】
2018073165.tif 000003
【図２】
2018073165.tif 000004
【図３】
2018073165.tif 000005
【図４】
2018073165.tif 000006
【図５】
2018073165.tif 000007
【図６】
2018073165.tif 000008
【図７】
2018073165.tif 000009
【図８】
2018073165.tif 000010
【図９】
2018073165.tif 000011
【図１０】
2018073165.tif 000012
【図１１】
2018073165.tif 000013
【図１２】
2018073165.tif 000014
【図１３】
2018073165.tif 000015